(57)【要約】【課題】  部品点数を削減でき、大きな基板ユニットを必要とすることなく、しかも器具バランスを容易にとることができる吊り下げ型照明器具を提供する。【解決手段】この照明器具は、器具本体１と、この器具本体１に設けられた環形ランプ用のランプソケット２、豆球ソケット１７、プルスイッチ１３、リモコン受光部１８およびリモコンスイッチとを有する。プルスイッチ１３およびリモコンスイッチにより環形ランプ１２および豆球１５の点滅切り換え制御を行う。器具本体１の中央部で器具本体１の一直径方向に略直線状に、リモコン受光部１８、プルスイッチ１３および豆球ソケット１７を配置している。【選択図】        図１
2006156218.tif 000002
【特許請求の範囲】
【請求項１】
器具本体と、この器具本体に設けられた環形ランプ用のランプソケット、豆球ソケット、プルスイッチ、リモコン受光部および前記リモコン受光部に応答するリモコンスイッチとを有し、前記プルスイッチおよび前記リモコンスイッチにより環形ランプおよび豆球の点滅切り換え制御を行う吊り下げ型照明器具において、前記器具本体の中央部で前記器具本体の一直径方向に略直線状に、前記リモコン受光部、前記プルスイッチおよび前記豆球ソケットを配置したことを特徴とする吊り下げ型照明器具。
【請求項２】
前記リモコン受光部、前記プルスイッチおよび前記豆球ソケットは、前記プルスイッチを中心として両側に前記リモコン受光部および前記豆球ソケットを振り分けて配置するとともに、共通の取付台に取付けられている請求項１記載の吊り下げ型照明器具。
【請求項３】
前記リモコン受光部、前記プルスイッチおよび前記豆球ソケットの並ぶ前記器具本体の一直径方向に前記ランプソケットが位置し、前記リモコン受光部を前記ランプソケットに近い側に配置し、前記プルスイッチの本体を前記リモコン受光部の裏面側に配置した請求項２記載の吊り下げ型照明器具。
【請求項４】
前記プルスイッチは、リミットスイッチからなる前記本体と、前記取付台に取付けられて回動により前記リミットスイッチをオンにするレバーと、このレバーに連結されて前記レバーを回動させる引き部材とを有し、前記引き部材の可動範囲を規制するストッパを前記取付台に設けた請求項３記載の吊り下げ型照明器具。  
【発明の詳細な説明】
【技術分野】
【０００１】
本発明は、例えば吊り下げ型照明器具に関するものである。
【背景技術】
【０００２】
プルスイッチとリモコンにより点灯切り換え制御が可能な従来の吊り下げ型照明器具としてつぎのものがあった。
【０００３】
第１の従来例を図６および図７に示す。図において、１００は器具本体、１０１はセード、１０２はランプソケット、１０３はプルスイッチ、１０４はその引き紐、１０５は環形蛍光ランプ、１０６はリモコン受光部、１０７はランプ支持ばね、１０８はつり下げコード、１０９は豆球である。
【０００４】
この照明器具は、プルスイッチ１０３を器具中心付近に配置し、リモコン受光部１０６および豆球１０９を器具周辺に配置している。
【０００５】
第２の従来例は、図８に示すように、共通の基板１１０の中央にリモコンスイッチ１１１およびスタータ１１２を配置し、それらの周囲に常夜灯ソケット１１３、プルスイッチ１１４、およびリモコン受光器１１５を散点状に配置している（例えば特許文献１参照）。１１６は安定器、１１７は蛍光灯ソケット、１１８はコネクタである。
【特許文献１】特開平１１−６６９４４号公報
【発明の開示】
【発明が解決しようとする課題】
【０００６】
第１の従来例は、リモコン受光部、豆球、およびプルスイッチを離して配置しているため、それぞれをつなぐ配線と固定する金具が必要であり、部品点数が多くなり器具コストがかかるという問題があった。
【０００７】
第２の従来例は、サイズの大きい専用の基板ユニットが必要であった。
【０００８】
また、第１の従来例および第２の従来例は吊り下げ型照明器具に適用する場合、器具バランスを考慮して重りを設けなければ器具本体が傾く可能性があった。
【０００９】
したがって、この発明の目的は、部品点数を削減でき、大きな基板ユニットを必要とすることなく、しかも器具バランスを容易にとることができる吊り下げ型照明器具を提供することである。
【課題を解決するための手段】
【００１０】
この発明の吊り下げ型照明器具は、器具本体と、この器具本体に設けられた環形ランプ用のランプソケット、豆球ソケット、プルスイッチ、リモコン受光部および前記リモコン受光部に応答するリモコンスイッチとを有する。前記プルスイッチおよび前記リモコンスイッチにより環形ランプおよび豆球の点滅切り換え制御を行う。前記器具本体の中央部で前記器具本体の一直径方向に略直線状に、前記リモコン受光部、前記プルスイッチおよび前記豆球ソケットを配置している。
【００１１】
上記構成において、前記リモコン受光部、前記プルスイッチおよび前記豆球ソケットは、前記プルスイッチを中心として両側に前記リモコン受光部および前記豆球ソケットを振り分けて配置するとともに、共通の取付台に取付けられている。
【００１２】
上記構成において、前記リモコン受光部、前記プルスイッチおよび前記豆球ソケットの並ぶ前記器具本体の一直径方向に前記ランプソケットが位置し、前記リモコン受光部を前記ランプソケットに近い側に配置し、前記プルスイッチの本体を前記リモコン受光部の裏面側に配置している。
【００１３】
上記構成において、前記プルスイッチは、リミットスイッチからなる前記本体と、前記取付台に取付けられて回動により前記リミットスイッチをオンにするレバーと、このレバーに連結されて前記レバーを回動させる引き部材とを有し、前記引き部材の可動範囲を規制するストッパを前記取付台に設けている。  
【発明の効果】
【００１４】
この発明の吊り下げ型照明器具によれば、リモコン受光部、プルスイッチおよび豆球ソケットが器具本体の中央部で器具本体の一直径方向に直線状に配置されているので、器具バランスの調整が容易になる。またリモコン受光部、プルスイッチおよび豆球ソケットを器具本体の中央部に配置するので配線や固定のための部品点数を削減できるとともに、大きな基板ユニットを必要としない。
【００１５】
リモコン受光部、豆球およびプルスイッチを共通の取付台に配置してユニットにしているため、組み立てが容易となり、器具本体の中央部にコンパクトに配置できるため、例えばプルスイッチのみの照明器具の部材と共用できコストを抑えることができる。  
【００１６】
リモコン受光部を器具本体の一直径線上のランプソケットに近い側に配置し、プルスイッチの本体をリモコン受光部の裏面側に配置したため、プルスイッチの本体とリモコン受光部を横に並べる場合よりも器具本体の直径方向の相互間距離を短縮でき、配置スペースの小型化が可能となる。またリモコン受光部は環形ランプのランプ口金側に配置されることとなるため、リモコンの赤外線信号を妨げる光ノイズの影響を受けにくい。
【００１７】
環形ランプおよび豆球の点灯切り換えを操作するプルスイッチの本体をリミットスイッチ例えばプッシュ式のマイクロスイッチとし、マイクロスイッチと引き部材との間に引き部材の作用方向を変換してマイクロスイッチをオンする回動式のレバーを配置することにより、小型のスイッチが採用できて配置スペースが少なくて済み、またレバーの形状およびレバー比等によりプルスイッチ操作時の引き部材のストロークを自由に設定することができる。
【００１８】
また取付台に回動式のレバーの回転角度を規制するストッパ例えば切り起こしを設けることにより、プルスイッチの操作で過度の荷重がかかってもスイッチ部材を破損させることがない。
【発明を実施するための最良の形態】
【００１９】
この発明の一実施の形態を図１から図５により説明する。すなわち、この吊り下げ型照明器具は、器具本体１、器具本体１の吊り下げを兼ねた電源コード１０、セード１１および環形ランプ１２で構成され、プルスイッチ１３および、例えばリモコンスイッチ回路により構成されたリモコンスイッチにより環形ランプ１２および豆球１５の点滅切り換え制御を行う。１６は天井引っ掛けシーリングである。
【００２０】
器具本体１の周辺に、環形ランプ１２用のランプソケット２および２個のランプ支持ばね３を互いに均等間隔で配置し、環形ランプ１２のランプ口金５をランプソケット２に接続し、環形ランプ４の管部分をランプ支持ばね３に支持している。
【００２１】
器具本体１の中央部に点灯回路を構成する点灯ブロック６が配置され、プルスイッチ１３およびリモコンスイッチにより環形ランプ１２および豆球１５の点滅制御を行う点滅制御回路（図示せず）、安定器（図示せず）および取付台７などが配置されている。取付台７には常夜灯の豆球ソケット１７、プルスイッチ１３および受光素子１９を有するリモコン受光部１８を取付け、これらを１つのユニットとして点灯ブロック６の中心部すなわち器具本体１の中央部に配置している。この取付台７は上部７ａ、立ち部７ｂおよび下部７ｃを有し、上部７ａが点灯ブロック６に取付けられ、下部７ｃの一側にリモコン受光部１８が取付けられ、立ち部７ｂのリモコン受光部１８と反対側に豆球ソケット１７を下向きに取付け、豆球ソケット１７に豆球１５を装着している。プルスイッチ１３はリミットスイッチ例えばプッシュ式のマイクロスイッチを用いた本体２０と、本体２０を操作する引き部材２１と、本体２０と引き部材２１との間に引き部材２１の動作方向を変換して本体２０をオンにする回動式のレバー２２とを有する。本体２０はリモコン受光部１８の上側の立ち部７ｂに取付けられ、リモコン受光部１８と本体２０の間の立ち部７ｂにレバー２２の中間の軸２３を取付け、レバー２２の一端２４でレバー２２の回動により本体２０のボタン２０ａを押すようにし、レバー２２の他端に引き部材２１を連結し垂下させている。引き部材２１はリモコン受光部１８と豆球１７との間に位置するように配置され、かつ器具本体１の中心で電源コード１０の延長線上にほぼ位置する。レバー２２にはレバー２２の一端２４がボタン２０ａから離れる方向に付勢されるねじりコイルばねを用いたばね２５が設けられている。またレバー２２の他端側の両側にレバー２２の回動範囲を規制するストッパ２６、２７を切り起こしにより取付台７に形成している。３０は本体２０の可動面を保護する表面のなめらかな樹脂カバーである。なお、２８は器具本体１に取付けられ、引き部材２１を通し、豆球１５およびリモコン受光部１８を覆う透明の下面パネルである。
【００２２】
上記構成により、豆球ソケット１７、プルスイッチ１３およびリモコン受光部１８は、ランプソケット２を通る器具本体１の直径方向に略直線状に配置されている。またプルスイッチ１３を中心として両側にリモコン受光部１８および豆球ソケット１７を振り分けて配置している。さらに、リモコン受光部１８をランプソケット２に近い側に配置し、プルスイッチ１３の本体２０をリモコン受光部１８の裏面側に配置している。
【００２３】
この照明器具は、引き部材２１を引くとレバー２２がばね２５に抗して回動し本体２０をオンに操作する。引き部材２１の引き操作を解放するとばね２５の復元力によりレバー２２が元の位置へ復帰し本体２０から離れ、本体２０はオフとなる。本体２０は点灯ブロック６の点滅制御回路に電気的につながっており、プルスイッチ操作時にオン信号を点灯ブロック６の点滅制御回路に伝えることにより、環形ランプ１２の点灯状態を切り換えることができる。
【００２４】
この実施の形態によれば、器具バランスを考慮する際、点灯ブロック６上の配置部品の、豆球ソケット１７、プルスイッチ１３およびリモコン受光部１８が一直線上に器具中央部に配置していることにより、全体でバランスをとる必要がなく、調整が容易となりバランサ等の重りを削減することができる。  
【００２５】
またリモコン受光部１８は環形ランプ１２が最も光らない部分すなわちランプ口金５の付近となるランプソケット２に近い側に配置することにより、リモコン操作時に光ノイズの影響を受けにくくなっている。
【００２６】
取付台７にはリモコン受光部１８と常夜灯の豆球ソケット１７が取付けられ、リモコン受光部１８内の受光素子１９と常夜灯の豆球１５は略同じ高さに位置するとともに、受光素子１９はランプ面より上に配置されている。これにより、リモコン信号を受光素子１９で受信するのに豆球１５が邪魔になることがなくかつ環形ランプ１２からの光ノイズの影響が少なくなっている。
【００２７】
また突出した部品がないため、例えば下面パネル２８のような下部を覆うパネルを設けて外観をよくすることができる。
【００２８】
点灯ブロック６の中心部のスペースは本来プルスイッチ機能のみの照明器具でスイッチ本体を配置するスペースであるが、リモコン受光部１８、豆球ソケット１７およびプルスイッチ１３をユニット化した取付台７を配置することにより、プルスイッチ機能のみの照明器具との共用が図れ、部品点数が少なくコストを抑えることができる。
【００２９】
ストッパ２６、２７により比較的強度の弱いマイクロスイッチ等の本体２０に過度な荷重がかかるのを防止することができる。
【００３０】
レバー２２の形状と本体２０の距離により引き部材２１の操作時のストロークを自由に設定することができる。
【００３１】
なお、上記において、リモコンスイッチは点灯ブロックの点灯回路部に設けてもよいが、リモコン受光部に設けることは可能である。
【図面の簡単な説明】
【００３２】
【図１】この発明の一実施の形態の吊り下げ状態をしたから見た状態の底面図である。
【図２】その側面図である。
【図３】取付台ユニットの側面図である。
【図４】その底面図である。
【図５】プルスイッチの動作状態の説明図である。
【図６】第１の従来例の底面図である。
【図７】その断面図である。
【図８】第２の従来例の説明図である。
【符号の説明】
【００３３】
１    器具本体
２    ランプソケット
７    取付台
１２    環形ランプ
１３    プルスイッチ
１５    豆球
１７    豆球ソケット    
１８    リモコン受光部
２０    プルスイッチの本体
２１    引き部材    
２２    レバー
２６、２７    ストッパ    
【図１】
2006156218.tif 000003
【図２】
2006156218.tif 000004
【図３】
2006156218.tif 000005
【図４】
2006156218.tif 000006
【図５】
2006156218.tif 000007
【図６】
2006156218.tif 000008
【図７】
2006156218.tif 000009
【図８】
2006156218.tif 000010